(57)【要約】  【課題】  本発明は、２本の爪楊枝を簡易な保持器に挿入して用いることによって、食べ物が容易に離脱することなく、安定良く突き刺して口に運ぶことができ、また、調理の際に巻物やサンドイッチなどに突き刺しても、容易に分離することのない爪楊枝つき刺し器を実現する。  【解決手段】  弾性を有する合成樹脂から成り、１対のテーパ状又はラッパ状の孔が角度αだけ開いた保持部を有し、それぞれのテーパ状又はラッパ状の孔中に爪楊枝の背部を挿入し固定してなることを特徴とする爪楊枝保持器である。  【選択図】    図４
2005204894.tif 000002
【特許請求の範囲】
【請求項１】
弾性を有する合成樹脂から成り、１対のテーパ状又はラッパ状の孔が角度αだけ開いた保持部を有し、それぞれのテーパ状又はラッパ状の孔中に爪楊枝の背部を挿入し固定してなることを特徴とする爪楊枝保持器。
【請求項２】
弾性を有する合成樹脂から成り、爪楊枝の背部を挿入し保持させる１対のテーパ状又はラッパ状の孔が角度αだけ開いていることを特徴とする爪楊枝保持器。
【請求項３】
前記のテーパ状孔の開口部が、爪楊枝の外径より大きくなるようにラッパ状に開いており、テーパ状孔の奥部が爪楊枝の外径より小さいことを特徴とする請求項２に記載の爪楊枝保持器。                        
【発明の詳細な説明】
【技術分野】
【０００１】
本発明は、２本の爪楊枝を保持器に挿入保持させてなる突き刺し器に関し、爪楊枝を突き刺した料理などが容易に脱落するのを防止可能とする。
【背景技術】
【０００２】
楊枝を使いやすくするために、実開昭61−134377号公報に記載のように、２本の楊枝を平行に保持できるようにした楊枝ホルダーが開示されている。すなわち、２本の楊枝の根元を保持体に保持させて、フォークの代用として、食べ物を刺したりするのに使用する。使い終わったら、２本の楊枝を抜き取って捨てればよいので、フォークのように、使用後に洗う必要がない。
【０００３】
【特許文献１】実開昭61−134377
【発明の開示】
【発明が解決しようとする課題】
【０００４】
このような楊枝ホルダーを用いると、１本の楊枝を用いる場合よりは、刺した食べ物が離脱し難いが、前記のような構造では、保持された２本の楊枝が互いに平行状態となるため、食べ物を突き刺して口に運ぼうとした場合、滑りやすい食べ物の場合には、容易に脱落してしまい、所期の目的を達成できない。また、ホルダー部分が大型なため、楊枝のように手軽に用いることができず、使い捨てもできない。通常の楊枝の場合は、刺した食べ物からタレが流れ落ちて手を汚したりするという欠点もあるが、前記ホルダーの場合も、タレでホルダーが汚れて見苦しい。また、使い捨て式でないため、楊枝保持用の孔の内部にタレが入った場合は、再使用のための洗浄が困難である。
【０００５】
楊枝の別の用途として、調理において昆布巻きやロールキャベツなどの巻物を作る場合に、バラバラに分離しないように爪楊枝を刺して固定するが、前記のような楊枝ホルダーは、本体部が大きすぎるため、分離防止目的の固定用としては使用できない。また、爪楊枝のみでは確実に固定できないことが多いが、そのような場合は、糸などを巻き付けて縛ることになる。また、サンドイッチを作る場合も、バラバラに分離しないように、あるいは食べやすいように、爪楊枝を刺して固定する場合も多いが、分離防止が確実とは言えない。
【０００６】
本発明の技術的課題は、このような問題に着目し、２本の爪楊枝を簡易な保持器に挿入して用いることによって、前記のような問題を一掃できる爪楊枝つき刺し器を実現することにある。
【課題を解決するための手段】
【０００７】
本発明の技術的課題は次のような手段によって解決される。請求項１は、弾性を有する合成樹脂から成り、１対のテーパ状孔が角度αだけ開いた保持部を有し、それぞれのテーパ状孔中に爪楊枝の背部を挿入し固定してなることを特徴とする爪楊枝保持器である。このように、１対のテーパ状孔が角度αだけ開いた保持部を有し、それぞれのテーパ状孔中に爪楊枝の背部を挿入し固定してなる爪楊枝保持器によると、角度αだけ先開き状のテーパ状孔中に２本の爪楊枝の背部を挿入してあるため、２本の爪楊枝が先開き状に固定されていることになる。その結果、２本の先開き状爪楊枝が食べ物に突き刺さるため、食べ物が容易に離脱することはなく、安定良く突き刺して口に運ぶことができる。また、調理の際に巻物やサンドイッチなどに突き刺しても、容易に分離することはなく、所期の目的を確実に達成できる。
【０００８】
請求項２は、弾性を有する合成樹脂から成り、爪楊枝の背部を挿入し保持させる１対のテーパ状孔が角度αだけ開いていることを特徴とする爪楊枝保持器である。このように、この爪楊枝保持器は、爪楊枝の背部を挿入し保持させる１対のテーパ状孔が角度αだけ開いているため、テーパ状孔に爪楊枝の背部を挿入するだけで、２本の爪楊枝を先開き状に角度を保った状態に固定できる。その結果、保持器を保持することによって、２本の爪楊枝を容易に扱うことができる。材質は、弾性を有する合成樹脂製であるため、テーパ状孔に爪楊枝の背部を挿入するだけで、弾力によって爪楊枝を確実に保持できる。
また、使用後の爪楊枝を容易に抜き取って捨て、新たな爪楊枝を挿入して再使用することもできる。
【０００９】
請求項３は、前記のテーパ状孔の開口部が、爪楊枝の外径より大きくなるようにラッパ状に開いており、テーパ状孔の奥部が爪楊枝の外径より小さいことを特徴とする請求項２に記載の爪楊枝保持器である。このように、前記のテーパ状孔の開口部が、爪楊枝の外径より大きくなるようにラッパ状に開いているため、食べ物を突き刺した状態で、食べ物側を上向きにした場合に、食べ物のタレは、ラッパ状開口と爪楊枝との間に流れ落ちて溜まるため、流れ落ちたタレで手を汚したりすることはない。また、爪楊枝保持器の外側には流れないので、見苦しくもない。
【発明の効果】
【００１０】
請求項１のように、１対のテーパ状孔が角度αだけ開いた保持部を有し、それぞれのテーパ状孔中に爪楊枝の背部を挿入し固定してなる爪楊枝保持器によると、角度αだけ先開き状のテーパ状孔中に２本の爪楊枝の背部を挿入してあるため、２本の爪楊枝が先開き状に固定されていることになる。その結果、２本の先開き状爪楊枝が食べ物に突き刺さるため、食べ物が容易に離脱することはなく、安定良く突き刺して口に運ぶことができる。また、調理の際に巻物やサンドイッチなどに突き刺しても、容易に分離することもなく、所期の目的を確実に達成できる。
【００１１】
請求項２の爪楊枝保持器は、爪楊枝の背部を挿入し保持させる１対のテーパ状孔が角度αだけ開いているため、テーパ状孔に爪楊枝の背部を挿入するだけで、２本の爪楊枝を先開き状に角度を保った状態に固定できる。その結果、保持器を保持することによって、２本の爪楊枝を容易に扱うことができる。材質は、弾性を有する合成樹脂製であるため、テーパ状孔に爪楊枝の背部を挿入するだけで、弾力によって爪楊枝を確実に保持できる。また、使用後の爪楊枝を容易に抜き取って捨て、新たな爪楊枝を挿入して再使用することもできる。
【００１２】
請求項３のように、前記のテーパ状孔の開口部が、爪楊枝の外径より大きくなるようにラッパ状に開いているため、食べ物を突き刺した状態で、食べ物側を上向きにした場合に、食べ物のタレは、ラッパ状開口と爪楊枝との間に流れ落ちて溜まるため、流れ落ちたタレで手を汚したりすることはない。また、爪楊枝保持器の外側には流れないので、見苦しくもない。
【発明を実施するための最良の形態】
【００１３】
次に本発明による爪楊枝保持器が実際上どのように具体化されるか実施形態を説明する。図１、２は本発明による爪楊枝保持器の使用状態を示す図で、図１は斜視図、図２は断面図である。１、２は市販の通常の木製又は竹製の爪楊枝であり、それぞれの背部１Ｂ・２Ｂが爪楊枝保持器３の保持孔に挿入固定されている。この爪楊枝１・２を保持器３から抜いた状態が図３である。爪楊枝背部１Ｂ・２Ｂが挿入される孔４・５のほぼ中間部４Ｔ・５Ｔは、テーパ状に傾斜しており、先端の開口部４Ａ・５Ａはラッパ状に開いている。そして、図２、図３からも明らかなように、テーパ状孔４・５の奥の部分４Ｂ・５Ｂの内径は、爪楊枝１・２の背部１Ｂ、２Ｂの外径よりわずかに小さく、先端のラッパ状開口部４Ａ・５Ａの内径は、爪楊枝１・２の外径より大きい。このような断面形状の保持器３が、軟質の合成樹脂で形成されている。
【００１４】
使用に際しては、図３の保持器３のテーパ状孔４・５中に爪楊枝１・２の背部１Ｂ・２Ｂを挿入する。すると、爪楊枝背部１Ｂ・２Ｂの太さがテーパ状孔４・５の奥の部分４Ｂ、５Ｂの内径より大きいため、合成樹脂製の保持器の弾力によって、爪楊枝背部１Ｂ・２Ｂが確実に保持され、図１、図２の状態となる。
【００１５】
図３のように、テーパ状孔４・５の中心線ａ１、ａ２は、角度αだけ先開き状に開いている。この開き角度αは、２〜３°から２０°程度が適している。テーパ状孔４・５がこのように開いているため、２本の爪楊枝１・２の背部１Ｂ・２Ｂを挿入した状態における爪楊枝１・２も２〜３°から２０°程度開いている。したがって、図４のように、この爪楊枝１・２を食べ物６に突き刺した場合は、爪楊枝１・２の先端の進入に伴って、爪楊枝先端１Ａ・２Ａが次第に開いていく。その結果、２本の爪楊枝１・２の間隔Ｗ２の部分が、進入によって、Ｗ１の寸法まで開こうとする。そのため、食べ物６の内部においては、２本の爪楊枝１・２間の部分６ａが、２本の爪楊枝１・２の先端１Ａ・２Ａによって挟まれた格好となり、爪楊枝１・２は食べ物６から容易に離脱することは不可能となる。つまり、突き刺した食べ物６が爪楊枝１・２から容易に離脱して落ちたりする恐れはない。また、昆布巻きなどの巻物を作る場合やサンドイッチにこの保持器付き爪楊枝を突き刺すと、バラバラに分離しないように、確実に固定できる。
【００１６】
爪楊枝１・２で食べ物６を突き刺した状態で、食べ物６側が上向きとなるように持った場合に、食べ物６からタレが流れ落ちたりした場合は、タレは、テーパ状孔４・５の開口部４Ａ・５Ａと爪楊枝１・２との間の隙間に流れ落ちて溜まる。したがって、保持器３を持っている手にタレが付着することはない。また、タレの量が特に大量でない限り、タレがテーパ状孔４・５からあふれ出ることは無いので、タレで保持器３がよごれて見苦しくなることも無い。
【００１７】
この保持器３は、使用後は爪楊枝１・２と共に使い捨てしてもよいが、爪楊枝１・２のみを抜き去って捨て、保持器３のみを何度も再使用することもできる。したがって、テーパ状孔４・５の内部にタレが流れ込んだりした場合は、全部使い捨てにし、タレが付着しない場合のみ、再使用するとよい。
【００１８】
この爪楊枝保持器３の製造方法はいろいろ可能である。例えば、手作りの場合は、図５（１）のような２本の導線７・８の入った塩化ビニール外皮９を用いると便利である。すなわち、２本の導線７・８を抜き去った状態において、（２）のように２〜３ｃｍ程度の長さＬに切断する。そして、（３）のように、導線７・８を抜いた後の貫通孔７ｈ、８ｈの中に、２本の加熱したアイスピック１０などを挿入し、さらに角度αだけ開くと、外皮９が熱軟化することにより、（４）のように、２本のテーパ状部４Ｔ・５Ｔつきの孔４・５が先開き状に開いた状態に熱変形する。すなわち、アイスピック１０などの外形はテーパ状になっているので、加熱したアイスピック１０などを挿入すると、塩化ビニール外皮９の同一内径の孔７ｈ、８ｈがテーパ状孔に形成され、しかも角度αだけ開くことになる。
【００１９】
さらに、（５）のように、開口端側において、加熱したアイスピック１０などを斜めにして矢印ａ３方向に回転すると、テーパ状孔４・５の開口部４Ａ・５Ａ側をラッパ状に開くことができる。なお、このラッパ状の開口４Ａ・５Ａの根元４Ｔ・５Ｔをテーパ状部の代用とすることもできる。このときは、（３）の処理は必要ない。逆に（３）の処理におけるテーパ状孔の角度を大きくしたり、テーパ状孔を深くすることにより、（５）の処理によるラッパ状開口４Ａ・５Ａの形成を省くこともできる。そして最後に、保持器基端側を、加熱したペンチなどで挟むと、基端側が押し潰されて偏平状部９Ｂとなるので、爪楊枝１・２を操作するために、保持器３を指で把持する際に確実に把持でき、滑り止めとなる。
【００２０】
前記の製造例は、既存の合成樹脂コードを用いて加工する例であるが、軟質の合成樹脂材を用いて、当初から、図示の形状に成型することもできる。例えば、軟化状態の合成樹脂体に、図５（５）のようにラッパ状に開いた形状のアイスピック状の金属棒を２本別々に挿入して、２本のラッパ状に開いたテーパ状孔４・５を先開き状に形成することができる。あるいは、コードを利用しないで、図５（２）のように２本の貫通孔７ｈ、８ｈを有する合成樹脂体を予め製造しておき、その後は、（３）→（４）→（５）の順にアイスピック１０などで孔加工することもできる。
【産業上の利用可能性】
【００２１】
以上のように、本発明による爪楊枝保持器を用いると、２本の爪楊枝を先開き状に角度を持たせた状態で保持できるので、食べ物などに突き刺した場合に、容易に離脱することはない。したがって、食べ物を食べる場合や料理を作る場合などに便利であり、また、爪楊枝の使用や用途も促進され、かつ拡大されるので、食文化の向上に寄与できる。
【図面の簡単な説明】
【００２２】
【図１】爪楊枝を爪楊枝保持器に挿入した状態の斜視図である。
【図２】爪楊枝を爪楊枝保持器に挿入した状態の断面図である。
【図３】爪楊枝を抜いた状態の保持器の断面図である。
【図４】爪楊枝を食べ物に突き刺した状態の断面図である。
【図５】爪楊枝保持器の製造方法を説明する断面図である。
【符号の説明】
【００２３】
１・２  爪楊枝
１Ｂ・２Ｂ  爪楊枝の背部
３  保持器
４・５  テーパ状孔
４Ａ・５Ａ  テーパ状孔の先端開口部
４Ｔ・５Ｔ  テーパ状部
６  食べ物
７・８  導線
９  塩化ビニール外皮
１０  アイスピック
【図１】
2005204894.tif 000003
【図２】
2005204894.tif 000004
【図３】
2005204894.tif 000005
【図４】
2005204894.tif 000006
【図５】
2005204894.tif 000007